(57)【要約】【課題】梁フレームの位置合わせを容易かつ正確になしえる二重床梁調整工具を提供する。【解決手段】基準プレート１８の前後方向に、梁フレーム４に穿設したボルト挿通孔１４と等間隔で基準孔２１を形成すると共に、左右方向に、梁フレーム４上に設置する配線架５の取付穴に合わせて芯出し用孔２２を形成し、基準プレート１８の前後方向の基準孔２１を基準フレーム１５のボルト挿通孔１４に位置決め調整ピン１９を介して取り付け、その基準プレート１８の芯出し用孔２２に合致するように隣設フレーム１６の位置合わせをし、芯出し用孔２２とこれに合致するボルト挿通孔１４とに位置決め調整ピン１９を挿入して芯出しを行うように構成したものである。【選択図】図１
0003118081.tif 000002
【実用新案登録請求の範囲】
【請求項１】
床面上に門型の脚フレームを前後方向に整列して立設し、その門型の脚フレームの左右方向のいずれか一方に長さ方向に多数ボルト挿通孔を有する梁フレームを、位置決めして取り付け、その梁フレームを基準フレームとして脚フレームの他方に梁フレームを、平行に、且つ、前後方向に位置を合わせて隣設フレームを取り付けるべくその両梁フレームの平行度と前後方向位置を調整するための二重床梁調整工具であって、基準プレートの前後方向に、梁フレームに穿設したボルト挿通孔と等間隔で基準孔を形成すると共に、左右方向に、梁フレーム上に設置する配線架の取付穴に合わせて芯出し用孔を形成し、基準プレートの前後方向の基準孔を基準フレームのボルト挿通孔に位置決め調整ピンを介して取り付け、その基準プレートの上記芯出し用孔に合致するように隣設フレームの位置合わせをし、上記芯出し用孔とこれに合致するボルト挿通孔とに位置決め調整ピンを挿入して芯出しを行うように構成したことを特徴とする二重床梁調整工具。
【請求項２】
上記基準プレートは脚フレームより左右幅が長く形成されると共にその基準プレートに他の幅の広い配線架の位置決めを行う補助芯出し用孔が形成され、床面上にその補助芯出し用孔に合致するように補助隣設梁フレームが設置されるときその補助隣設梁フレームの位置合わせをするように構成された請求項１記載の二重床梁調整工具。
【請求項３】
上記基準プレートは、前後方向に延びると共に左右方向に延びるＬ字状に形成された請求項１又は２記載の二重床梁調整工具。
【請求項４】
上記基準プレートは、芯出し用孔から一側までの長さを梁フレームのボルト挿通孔から一側までの長さと同じに形成され、上記基準フレームに取り付けられ、該基準フレームに対して直角に延びる梁フレームの位置合わせをするとき、基準プレートの側面と梁フレームの側面とを面一にするように梁フレームの位置合わせをすることで梁フレームの前後方向の芯出しがされるように構成された請求項１〜３のいずれかに記載の二重床梁調整工具。
【請求項５】
上記基準プレートが透明な樹脂からなる請求項１〜４のいずれかに記載の二重床梁調整工具。
【考案の詳細な説明】
【技術分野】
【０００１】
本考案は、配線架設置用の二重床を組み立てるとき、脚フレーム上に取り付けられる梁フレームの芯出しを行うための二重床梁調整工具に関するものである。
【背景技術】
【０００２】
配線架設置用の二重床としては特開２００４−２７８１８６号公報記載のものが知られている。図７に示すように、この二重床１は、床面２上に前後方向に整列して立設される複数の門型の脚フレーム３と、これら脚フレーム３の左右両側に取り付けられる一対の梁フレーム４とからなる架台ユニット８を基本の単位とし、この架台ユニット８を前後左右に複数設置すると共に左右に隣設する架台ユニット８間に床パネル（図示せず）を掛け渡して構築されるようになっている。架台ユニット８の梁フレーム３は、配線架５を掛け渡して載置できるようになっており、脚フレーム３の左右幅は、最小の配線架５に対応するように設定されている。梁フレーム４は、長さ方向に多数のボルト挿通孔（図示せず）を有し、これらのボルト挿通孔にボルト（図示せず）を挿通して配線架５をボルト締めできるようになっている。
【０００３】
ところで、この二重床１は、梁フレーム４のボルト挿通孔と配線架５の取付穴（図示せず）とにボルトを通して配線架５を固定するものであり、ボルト挿通孔と取付穴の位置が１ｍｍもずれるとボルトを通せなくなるため、梁フレーム４は所定の位置に正確に設置される必要がある。このため、二重床１を構築するときには、予め床面２上に梁フレーム４の設置位置を示す基準線６を描いておき、この基準線６上に梁フレーム４を正確に合わせたのち、脚フレーム３上に梁フレーム４をボルト締めするようにしている。
【考案の開示】
【考案が解決しようとする課題】
【０００４】
しかしながら、基準線６上に梁フレーム４を合わせるとき、梁フレーム４の一側から下げ振り器７を吊り下げ、下げ振り器７の下端を基準線６上に合わせるように梁フレーム４の位置を調整する作業を繰り返して梁フレーム４を基準線６上に合わせるため、手間がかかると共に調整が難しく、精度にばらつきが発生し易いという課題があった。
【０００５】
そこで、本考案の目的は、上記課題を解決し、梁フレームの位置合わせを容易かつ正確になしえる二重床梁調整工具を提供することにある。
【課題を解決するための手段】
【０００６】
上記課題を解決するために本考案は、床面上に門型の脚フレームを前後方向に整列して立設し、その門型の脚フレームの左右方向のいずれか一方に長さ方向に多数ボルト挿通孔を有する梁フレームを、位置決めして取り付け、その梁フレームを基準フレームとして脚フレームの他方に梁フレームを、平行に、且つ、前後方向に位置を合わせて隣設フレームを取り付けるべくその両梁フレームの平行度と前後方向位置を調整するための二重床梁調整工具であって、基準プレートの前後方向に、梁フレームに穿設したボルト挿通孔と等間隔で基準孔を形成すると共に、左右方向に、梁フレーム上に設置する配線架の取付穴に合わせて芯出し用孔を形成し、基準プレートの前後方向の基準孔を基準フレームのボルト挿通孔に位置決め調整ピンを介して取り付け、その基準プレートの上記芯出し用孔に合致するように隣設フレームの位置合わせをし、上記芯出し用孔とこれに合致するボルト挿通孔とに位置決め調整ピンを挿入して芯出しを行うように構成したものである。
【０００７】
上記基準プレートは脚フレームより左右幅が長く形成されると共にその基準プレートに他の幅の広い配線架の位置決めを行う補助芯出し用孔が形成され、床面上にその補助芯出し用孔に合致するように補助隣設梁フレームが設置されるときその補助隣設梁フレームの位置合わせをするように構成されるとよい。
【０００８】
上記基準プレートは、前後方向に延びると共に左右方向に延びるＬ字状に形成されるとよい。
【０００９】
また、上記基準プレートは、芯出し用孔から一側までの長さを梁フレームのボルト挿通孔から一側までの長さと同じに形成され、上記基準フレームに取り付けられ、該基準フレームに対して直角に延びる梁フレームの位置合わせをするとき、基準プレートの側面と梁フレームの側面とを面一にするように梁フレームの位置合わせをすることで梁フレームの前後方向の芯出しがされるように構成されるとよい。
【００１０】
上記基準プレートは、透明な樹脂からなるものとしてもよい。
【考案の効果】
【００１１】
本考案によれば、梁フレームの位置合わせを容易かつ正確になしえる。
【考案を実施するための最良の形態】
【００１２】
本考案の好適実施の形態を添付図面を用いて説明する。
【００１３】
上述したように、二重床１は、複数の門型の脚フレーム３と、脚フレーム３の左右両側に取り付けられる一対の梁フレーム４とからなる架台ユニット８を基本の単位として構築されるようになっている（図７参照）。脚フレーム３は、左右両側の上端に梁フレーム４を載置するための受け座９を有する。受け座９には、梁フレーム４から延びるボルトを挿通させるための孔１０が形成されており、孔１０にボルトを挿通させてその先端側にナット（図示せず）を螺合させることで梁フレーム４をボルト締めするようになっている。孔１０は、その径をボルトよりも大きく形成されると共に前後方向に長く形成されており、梁フレーム４の水平方向（前後左右方向）の微移動を許容するようになっている。
【００１４】
また、二重床１は、配線架５の幅が脚フレーム３の幅よりも大きいとき、図１及び図２に示すように、架台ユニット８に補助ユニット１１を追加して梁フレーム４の間隔を拡張するように構成されている。
【００１５】
補助ユニット１１は、脚フレーム３の左右方向に離間して立設される複数の補助脚フレーム１２と、補助脚フレーム１２上に梁フレーム４と平行となるように取り付けられる補助隣設梁フレーム１３とからなる。補助脚フレーム１２は、Ｌ字状の取付ブラケット２６とボルト２７を介して架台ユニット８の梁フレーム４に固定されるようになっている。
【００１６】
架台ユニット８と補助ユニット１１とを組み立てる場合は、床面２上に脚フレーム３を前後方向に整列して立設し、これら脚フレーム３の左右方向のいずれか一方に長さ方向に多数ボルト挿通孔１４を有する梁フレーム４を位置決めして取り付け、その梁フレーム４を基準フレーム１５として脚フレーム３の他方に梁フレーム４を、平行に、且つ、前後方向に位置を合わせて隣設フレーム１６として取り付ける。最初の基準フレーム１５の位置決めは、従来と同様に床面２上に描いた基準線６に梁フレーム４の一側から下げ振り器７を吊り下げ、基準線６に下げ振り器７の先端が合うように梁フレーム４を位置調整することで行う。隣設フレーム１６の位置決めは、二重床梁調整工具１７を用いて行う。
【００１７】
二重床梁調整工具１７は、基準フレーム１５に沿って位置決めされる基準プレート１８と、基準プレート１８を基準フレーム１５に芯出しして留めるための位置決め調整ピン１９とからなる。基準プレート１８は、梁フレーム４と同じ材質であるアルミニウムからなり、前後方向に延びると共に左右方向に延びるＬ字状に形成されている。これにより、梁フレーム４に沿わせたときに梁フレーム４が傷つくのを防ぎつつ、携行に支障のない重さにしている。また、直角に曲がる部分の内周側は湾曲して形成されており、Ｌ字の直角な形状を変形させる力に対して十分な強度にされている。またさらに、基準プレート１８の上面には、前後方向に延びる部分と左右方向に延びる部分とのそれぞれに水平器２０が設けられており、梁フレーム４の水平度も確認できるようになっている。
【００１８】
また、二重床梁調整工具１７は、基準プレート１８の前後方向に、梁フレーム４に穿設したボルト挿通孔１４と等間隔で基準孔２１を形成すると共に、左右方向に、梁フレーム４上に設置する配線架５の取付穴に合わせて芯出し用孔２２を形成し、基準プレート１８の前後方向の基準孔２１を基準フレーム１５のボルト挿通孔１４に位置決め調整ピン１９を介して取り付け、その基準プレート１８の芯出し用孔２２に合致するように隣設フレーム１６の位置合わせをし、芯出し用孔２２とこれに合致するボルト挿通孔１４とに位置決め調整ピン１９を挿入して芯出しを行うように構成されている。このように、基準フレーム１５のボルト挿通孔１４に基準孔２１を取り付けたとき、芯出し用孔２２に隣設フレーム１６のボルト挿通孔１４を合致させることで、隣設フレーム１６の前後方向の芯出しと、その前後方向の位置での左右方向の芯出しとを行うことができる。この後、基準プレート１８の取付位置を前後方向に移動させ、その位置での左右方向の芯出しを行うことで、前後方向に離間する複数箇所で左右方向の芯出しをすることができ、隣設フレーム１６と基準フレーム１５とを精度良く平行にできる。このとき、基準プレート１８の前後方向の移動は、同じ姿勢のままであってもよく、図１中の一点鎖線で示すように、基準プレート１８を１８０度回転させて行ってもよい。また、２つの二重床梁調整工具１７を同時に使用して前後方向に離間する複数箇所の位置決めを並行に行ってもよい。これによれば、位置決めの回数を減らすことができ、更に効率よく二重床１を構築することができる。
【００１９】
また、補助隣設梁フレーム１３の位置決めも、二重床梁調整工具１７を用いて行う。
【００２０】
基準プレート１８は、脚フレーム３より左右幅が長く形成されると共に幅の広い配線架５用の補助隣設梁フレーム１３の位置合わせをするための補助芯出し用孔２３を有し、前述の基準フレーム１５と隣設フレーム１６とを平行にする作業と並行して基準フレーム１５と補助隣設梁フレーム１３とを平行にできるようになっている。具体的には、基準プレート１８の前後方向の基準孔２１を基準フレーム１５のボルト挿通孔１４に位置決め調整ピン１９を介して取り付け、その基準プレート１８の芯出し用孔２２に合致するように隣設フレーム１６の位置合わせをするとき、これと並行してその基準プレート１８の補助芯出し用孔２３に合致するように補助隣設梁フレーム１３の位置合わせをし、補助芯出し用孔２３とこれに合致するボルト挿通孔１４とに位置決め調整ピン１９を挿入して芯出しを行う。
【００２１】
またさらに、基準となる梁フレーム４に対して他の梁フレーム４を直角に位置決めする場合も、二重床梁調整工具１７を用いて行うことができる。
【００２２】
図３に示すように、基準プレート１８は、芯出し用孔２２から一側までの長さＬ１を梁フレーム４のボルト挿通孔１４から一側までの長さＬ２と同じに形成されており、基準フレーム１５に取り付けられ、基準フレーム１５に対して直角に延びる梁フレーム４の位置合わせをするときには、基準プレート１８の芯出し用孔２２側の側面２４と梁フレーム４の側面２５とを面一にするように梁フレーム４の位置合わせをすることで梁フレーム４の前後方向の芯出しがされるようにも構成されている。基準プレート１８の側面２４と梁フレーム４の側面２５とが面一になっているか否かの判断は、図４に示すように、基準プレート１８の側面２４と梁フレーム４の側面２５との境目を指先でなぞることで瞬時にでき、特に面一になっていない場合には、梁フレーム４の傾斜方向を感覚的に把握でき、梁フレーム４の位置合わせを容易にできる。このようにして梁フレーム４の位置合わせができたら、芯出し用孔２２とこれに合致するボルト挿通孔１４とに位置決め調整ピン１９を挿入して芯出しを行う。
【００２３】
梁フレーム４を前後方向に継ぎ足す場合は、基準となる梁フレーム４と継ぎ足す梁フレーム４との上に基準プレート１８の前後に延びる部分を沿わせ、基準となる梁フレーム４のボルト挿通孔１４に、その真上に位置される基準プレート１８の基準孔２１を位置決め調整ピン１９を介して取り付け、継ぎ足す梁フレーム４のボルト挿通孔１４がその直近に位置される基準プレート１８の芯出し用孔２２に合致するように継ぎ足す梁フレーム４の位置合わせをし、芯出し用孔２２とこれに合致するボルト挿通孔１４とに位置決め調整ピン１９を挿入することで芯出しを行うことができる。
【００２４】
このように、基準プレート１８の前後方向に、梁フレーム４に穿設したボルト挿通孔１４と等間隔で基準孔２１を形成すると共に、左右方向に、梁フレーム４上に設置する配線架５の取付穴に合わせて芯出し用孔２２を形成し、基準プレート１８の前後方向の基準孔２１を基準フレーム１５のボルト挿通孔１４に位置決め調整ピン１９を介して取り付け、その基準プレート１８の芯出し用孔２２に合致するように隣設フレーム１６の位置合わせをし、芯出し用孔２２とこれに合致するボルト挿通孔１４とに位置決め調整ピン１９を挿入して芯出しを行うように二重床梁調整工具１７を構成したため、基準フレーム１５に対して隣設フレーム１６を容易かつ正確に位置決めすることができ、梁フレーム４の位置合わせを容易かつ正確になしえる。
【００２５】
また、基準プレート１８は脚フレーム３より左右幅が長く形成されると共にその基準プレート１８に他の幅の広い配線架５の位置決めを行う補助芯出し用孔２３が形成され、床面２上にその補助芯出し用孔２３に合致するように補助隣設梁フレーム１３が設置されるときその補助隣設梁フレーム１３の位置合わせをするように構成されたため、隣設フレーム１６の位置合わせと並行して補助隣設梁フレーム１３の位置合わせを行うことができ、二重床１を効率よく構築することができる。
【００２６】
基準プレート１８は、前後方向に延びると共に左右方向に延びるＬ字状に形成されるものとしたため、軽量にでき、容易に携行できる。
【００２７】
基準プレート１８は、芯出し用孔２２から一側までの長さＬ１を梁フレーム４のボルト挿通孔１４から一側までの長さＬ２と同じに形成され、基準フレーム１５に取り付けられ、基準フレーム１５に対して直角に延びる梁フレーム４の位置合わせをするとき、基準プレート１８の側面２４と梁フレーム４の側面２５とを面一にするように梁フレーム４の位置合わせをすることで梁フレーム４の前後方向の芯出しがされるように構成されるため、基準プレート１８の側面２４と梁フレーム４の側面２５との境目を指先でなぞることで容易に梁フレーム４の位置合わせができる。
【００２８】
なお、基準プレート１８は、アルミニウムからなり、Ｌ字状に形成されるものとしたがこれに限るものではない。図５に示すように、基準プレート３０は、透明な樹脂からなり、矩形状に形成されるものであってもよい。基準プレート３０を透明な樹脂で形成すると、梁フレーム４の位置を基準プレート３０越しに見ることができ、梁フレーム４の位置ずれを容易に目視確認できる。そして、樹脂は梁フレーム４の材質であるアルミニウムよりも柔らかいため、梁フレーム４を傷つけることはない。また、基準プレート３０を矩形状に形成し、四辺に沿ってボルト挿通孔１４に合わせるための孔２１、２２、２３を形成すると、基準フレーム１５と隣設フレーム１６（または補助隣設梁フレーム１３）とを前後方向に離間する二カ所で同時に位置合わせすることができ、簡単に効率よく隣設フレーム１６（または補助隣設梁フレーム１３）の位置合わせができる。基準プレート３０を矩形状に形成する場合、基準プレート３０に取っ手３１を設けるとよい。図６に示すように、基準プレート４０は、略三角形状に形成されるものであってもよい。
【図面の簡単な説明】
【００２９】
【図１】本考案の好適実施の形態を示す梁フレームと二重床梁調整工具の平面図である。
【図２】図１のＡ−Ａ線矢視断面図である。
【図３】直交する梁フレームと二重床梁調整工具の平面図である。
【図４】図３のＢ−Ｂ線矢視断面図である。
【図５】他の実施の形態を示す二重床梁調整工具の平面図である。
【図６】他の実施の形態を示す二重床梁調整工具の平面図である。
【図７】従来の二重床構築方法を示す斜視説明図である。
【符号の説明】
【００３０】
２  床面
３  脚フレーム
４  梁フレーム
５  配線架
１３  補助隣設梁フレーム
１４  ボルト挿通孔
１５  基準フレーム
１６  隣設フレーム
１７  二重床梁調整工具
１８  基準プレート
１９  位置決め調整ピン
２１  基準孔
２２  芯出し用孔
２３  補助芯出し用孔
２４  基準プレートの側面
２５  梁フレームの側面
３０  基準プレート
【図１】
0003118081.tif 000003
【図２】
0003118081.tif 000004
【図３】
0003118081.tif 000005
【図４】
0003118081.tif 000006
【図５】
0003118081.tif 000007
【図６】
0003118081.tif 000008
【図７】
0003118081.tif 000009